(57)【特許請求の範囲】
【請求項１】
接眼鏡筒と、
前記接眼鏡筒に収納され、光軸を有する接眼光学系と、
前記接眼光学系を構成するレンズを前記光軸方向に移動させる接眼光学系移動手段と、
前記接眼鏡筒の端部に装着される見口と、
前記接眼光学系移動手段による前記レンズの前記光軸方向への移動と同期して、前記レンズの前記移動による射出ひとみ距離の増減距離分だけ前記見口を前記光軸方向に移動させる見口位置調節手段とを備えて成ることを特徴とする倍率可変式光学機器。
【請求項２】
前記見口位置調節手段は、前記接眼鏡筒に前記光軸を中心軸として回動可能に設けられた操作筒と、前記操作筒の外周面に前記光軸方向に移動可能に装着され、前記見口を支持する見口支持筒と、前記見口支持筒の前記光軸方向への移動を案内する見口案内手段とを備えて成り、
前記接眼光学系移動手段は、前記操作筒と一体になって前記接眼鏡筒に前記光軸を中心軸として回動可能に設けられたカム筒と、前記カム筒に前記光軸方向に移動可能に収納され、前記レンズを保持するレンズ枠と、前記レンズ枠の前記光軸方向への移動を案内する接眼光学系案内手段とを備えて成ることを特徴とする請求項１に記載の倍率可変式光学機器。
【請求項３】
前記見口案内手段は、前記接眼鏡筒にその端縁から前記光軸方向に沿って設けられた見口支持筒案内切欠部と、前記操作筒にその円周方向に対して傾斜して設けられた見口支持筒案内カム孔と、前記見口支持筒案内切欠部及び前記見口支持筒案内カム孔と係合するように前記見口支持筒に設けられ、前記見口支持筒案内切欠部及び前記見口支持筒案内カム孔に沿って移動する見口支持筒案内ピンとを備えて成ることを特徴とする請求項２に記載の倍率可変式光学機器。
【請求項４】
前記接眼光学系案内手段は、前記接眼鏡筒にその軸線方向に沿って設けられた接眼光学系案内軸線孔と、前記カム筒にその円周方向に対して傾斜して設けられた接眼光学系案内カム孔と、前記接眼光学系案内軸線孔及び前記接眼光学系案内カム孔と係合するように前記レンズ枠に設けられ、前記接眼光学系案内軸線孔及び前記接眼光学系案内カム孔に沿って移動する接眼光学系案内ピンとを備えて成ることを特徴とする請求項２又は３に記載の倍率可変式光学機器。
【発明の詳細な説明】
【技術分野】
【０００１】
この発明は、倍率可変式光学機器に関し、さらに詳しくは、射出ひとみに使用者の眼を配置し直すことなく、眼を当てたまま倍率調整操作をすることのできる倍率可変式光学機器に関する。
【背景技術】
【０００２】
双眼鏡、単眼鏡、フィールドスコープ等のアフォーカル光学系で構成された光学機器は、光軸に沿って配置された複数個のレンズで構成される接眼光学系を備えている。接眼光学系を構成するレンズの配置を変えることで、光学機器の持つ倍率を変化させることが可能であることはよく知られており、そのような倍率可変式の光学機器（以下、倍率可変式光学機器と称することがある。）が多く提供されている。
【０００３】
このような倍率可変式光学機器は、通常、接眼光学系で作られた中心像の平行光と周辺像の平行光が交差する領域である射出ひとみを光軸の延長線上に有しており、接眼光学系を構成するレンズのうち使用者の眼に最も近い位置に配置されたレンズの最終面から射出ひとみまでの距離（以下、射出ひとみ距離と称する。アイリリーフとも称することがある。）は倍率可変式光学機器に特有の値となる。このような倍率可変式光学機器において、使用者の眼を射出ひとみに正確に配置しないと、例えば、接眼光学系で作られた周辺像の平行光が使用者の眼に入射せず、倍率可変式光学機器で観測される視野特にその周辺部にかげり（ブラックアウトと称することがある。）が生じて、視野全体を観測することができなくなる。
【０００４】
一般に、倍率可変式光学機器の射出ひとみ距離は接眼光学系の倍率の変化と共に変化する。眼レンズ及び変倍レンズを有する接眼光学系を備えた接眼ズーム式変倍双眼鏡は、光軸に沿って、少なくとも変倍レンズを眼レンズに接近させ、又は、離隔するように移動させることにより、接眼光学系の倍率を連続的に変化させることができる。そして、接眼光学系の倍率を変化させると、接眼光学系の焦点距離が変化して射出ひとみ距離も変化する。ここで、接眼光学系の倍率と射出ひとみ距離との関係として、例えば、接眼光学系の倍率が高くなるにつれて射出ひとみ距離が小さくなる関係、接眼光学系の倍率が高くなるにつれて射出ひとみ距離が大きくなる関係、接眼光学系の倍率が中間倍率になるまで射出ひとみ距離が小さくなり、その後、倍率が大きくなるにつれて射出ひとみ距離が大きくなる関係等が知られている。接眼光学系の倍率と射出ひとみ距離との関係を、接眼光学系の倍率が高くなるにつれて射出ひとみ距離が小さくなる関係を有している倍率可変式光学機器について、図４を参照して、説明する。このような関係を有する倍率可変式光学機器において、接眼光学系３０の倍率を低倍率に設定すると、図４（ａ）に示されるように、接眼光学系３０の焦点距離は大きくなり、射出ひとみ距離ｄＬも大きくなる。そして、接眼光学系３０の倍率を徐々に上げて中間倍率及び高倍率に設定すると、図４（ｂ）及び（ｃ）に示されるように、接眼光学系３０の焦点距離が徐々に小さくなり、射出ひとみ距離ｄＭ及びｄＨも接眼光学系３０の倍率に応じて徐々に小さくなる。
【０００５】
このように、倍率可変式光学機器の射出ひとみ距離は、接眼光学系の焦点距離すなわち倍率に応じて変化するから、倍率可変式光学機器の使用者は、その倍率調整操作において、倍率可変式光学機器から眼を一旦離して、調整後の倍率に応じた射出ひとみを探し出し、探し出した射出ひとみに再度自分の眼を配置する必要がある。すなわち、倍率可変式光学機器において、倍率調整操作するたびに、調整後の倍率に応じた射出ひとみに使用者の眼を配置し直さなければならないという問題があった。
【発明の開示】
【発明が解決しようとする課題】
【０００６】
この発明は、射出ひとみに使用者の眼を配置し直すことなく、眼を当てたまま倍率調整操作をすることのできる倍率可変式光学機器を提供することを、目的とする。
【課題を解決するための手段】
【０００７】
前記課題を解決するための手段として、
請求項１は、接眼鏡筒と、前記接眼鏡筒に収納され、光軸を有する接眼光学系と、前記接眼光学系を構成するレンズを前記光軸方向に移動させる接眼光学系移動手段と、前記接眼鏡筒の端部に装着される見口と、前記接眼光学系移動手段による前記レンズの前記光軸方向への移動と同期して、前記レンズの前記移動による射出ひとみ距離の増減距離分だけ前記見口を前記光軸方向に移動させる見口位置調節手段とを備えて成ることを特徴とする倍率可変式光学機器であり、
請求項２は、前記見口位置調節手段は、前記接眼鏡筒に前記光軸を中心軸として回動可能に設けられた操作筒と、前記操作筒の外周面に前記光軸方向に移動可能に装着され、前記見口を支持する見口支持筒と、前記見口支持筒の前記光軸方向への移動を案内する見口案内手段とを備えて成り、前記接眼光学系移動手段は、前記操作筒と一体になって前記接眼鏡筒に前記光軸を中心軸として回動可能に設けられたカム筒と、前記カム筒に前記光軸方向に移動可能に収納され、前記レンズを保持するレンズ枠と、前記レンズ枠の前記光軸方向への移動を案内する接眼光学系案内手段とを備えて成ることを特徴とする請求項１に記載の倍率可変式光学機器であり、
請求項３は、前記見口案内手段は、前記接眼鏡筒にその端縁から前記光軸方向に沿って設けられた見口支持筒案内切欠部と、前記操作筒にその円周方向に対して傾斜して設けられた見口支持筒案内カム孔と、前記見口支持筒案内切欠部及び前記見口支持筒案内カム孔と係合するように前記見口支持筒に設けられ、前記見口支持筒案内切欠部及び前記見口支持筒案内カム孔に沿って移動する見口支持筒案内ピンとを備えて成ることを特徴とする請求項２に記載の倍率可変式光学機器であり、
請求項４は、前記接眼光学系案内手段は、前記接眼鏡筒に前記光軸方向に沿って設けられた接眼光学系案内軸線孔と、前記カム筒にその円周方向に対して傾斜して設けられた接眼光学系案内カム孔と、前記接眼光学系案内軸線孔及び前記接眼光学系案内カム孔と係合するように前記レンズ枠に設けられ、前記接眼光学系案内軸線孔及び前記接眼光学系案内カム孔に沿って移動する接眼光学系案内ピンとを備えて成ることを特徴とする請求項２又は３に記載の倍率可変式光学機器である。
【発明の効果】
【０００８】
この発明に係る倍率可変式光学機器は、前記構成を有しているから、倍率調整操作において、接眼光学系移動手段によって接眼光学系のレンズを光軸方向に移動させて倍率を変化させることができると共に、見口位置調節手段によって使用者の眼が当接される見口を、接眼光学系のレンズの移動と同期させつつ、レンズの移動による射出ひとみ距離の増減距離分だけ移動させることができる。その結果、接眼光学系移動手段で倍率を調整すると、調整された倍率に応じた射出ひとみに使用者の眼が配置されるように見口が光軸方向に前後進するから、使用者は見口に眼を当てたままの状態で倍率調整操作をすることができる。したがって、この発明によれば、射出ひとみに使用者の眼を配置し直すことなく、眼を当てたまま倍率調整操作をすることのできる倍率可変式光学機器を提供することができる。
【発明を実施するための最良の形態】
【０００９】
この発明に係る倍率可変式光学機器における一実施例である倍率可変式光学機器を、図面を参照して、説明する。この倍率可変式光学機器５０は、図３に示されるように、接眼ズーム式変倍双眼鏡５０であり、第１鏡筒５５と、第２鏡筒５６と、第１鏡筒５５及び第２鏡筒５６を支持する支持体５７とを備えて成る。接眼ズーム式変倍双眼鏡５０において、対物レンズが配置される側（図１〜図３において紙面の下側）を「前方」と称し、接眼レンズが配置される側（図１〜図３において紙面の上側）を「後方」と称する。第１鏡筒５５及び第２鏡筒５６それぞれは、その後方に、図１及び図２に示されるように、第１接眼鏡筒１及び第２接眼鏡筒を備えている。
【００１０】
この発明は、倍率可変式光学機器において、図２に示されるように、第１接眼鏡筒１に装着される見口位置調節手段６５が、後述する接眼光学系移動手段６１による倍率の変化と同期しつつ見口１２（図１参照。）を光軸方向に移動させることを、特徴の１つとする。したがって、接眼ズーム式変倍双眼鏡５０は、前記見口位置調節手段６５が装着される第１接眼鏡筒１及び第２接眼鏡筒以外、例えば、対物レンズの構成及び配置、プリズムの構成及び配置、支持体の構成等は、従来公知の接眼ズーム式変倍双眼鏡と基本的に同様である。したがって、これらの説明は省略する。
【００１１】
第１接眼鏡筒１及び第２接眼鏡筒は、図３に示されるように、左右対称となっていること以外は基本的に同様に構成されているので、以下、第１接眼鏡筒１を例にして、この第１接眼鏡筒１に装備される部材を説明する。この第１接眼鏡筒１は、図１及び図２に示されるように、その小径部１ｇに、カム筒２、操作筒７、見口支持筒９、操作環１３（図２に図示しない。）、見口１２（図２に図示しない。）、第１レンズ枠３、第２レンズ枠４、第３レンズ枠１１、第１接眼光学系案内ピン５、第２接眼光学系案内ピン６、操作ピン８及び見口支持筒案内ピン１０を備えている。
【００１２】
そして、このように構成された第１接眼鏡筒１及び第２接眼鏡筒を備えた倍率可変式光学機器５０は、後述するように、光軸に沿って、第１レンズ枠３を第３レンズ枠１１に接近させ、第２レンズ枠４を第３レンズ枠１１から離隔させることによって連続的に接眼光学系６０の倍率を高くすることができるようになっており、接眼光学系６０の倍率が高くなるにつれて射出ひとみ距離が小さくなる関係を有している。
【００１３】
図１及び図２に示されるように、第１接眼鏡筒１は、その後方側に円筒体が連設されている。第１接眼鏡筒１の円筒体は、円筒状に形成された大径部１ｆと、この大径部１ｆと内径及び軸線が同じであり、大径部１ｆの外径よりも小さな外径を有する円筒状に形成された小径部１ｇとからなる。この小径部１ｇは、第１接眼光学系案内軸線孔１ａ、第２接眼光学系案内軸線孔１ｂ、回動案内孔１ｃ、見口支持筒案内切欠部１ｄ及び雌ネジ部１ｅを有している。
【００１４】
図１及び図２に示されるように、第１接眼光学系案内軸線孔１ａは、小径部１ｇの周壁にその軸線方向に沿った長穴に形成されている。第２接眼光学系案内軸線孔１ｂは、大径部１ｆ側の周壁に第１接眼光学系案内軸線孔１ａとは分離独立して形成され、小径部１ｇの軸線方向に沿った長穴に形成されている。第１接眼光学系案内軸線孔１ａと第２接眼光学系案内軸線孔１ｂとはそれぞれ、共通の軸線を有する貫通した長穴に形成されている。第１接眼光学系案内軸線孔１ａ及び第２接眼光学系案内軸線孔１ｂは第１レンズ枠３及び第２ンズ枠４の移動量に応じて適宜の軸線長さに穿孔されている。
【００１５】
図１及び図２に示されるように、回動案内孔１ｃは、第１接眼光学系案内軸線孔１ａ及び第２接眼光学系案内軸線孔１ｂとは分離独立して、小径部１ｇの周壁にその円周方向に沿った長穴に形成されている。回動案内孔１ｃは後述するカム筒２の回動量等に応じて適宜の軸線長さに穿孔されている。
【００１６】
図１及び図２に示されるように、見口支持筒案内切欠部１ｄは、第１接眼光学系案内軸線孔１ａ、第２接眼光学系案内軸線孔１ｂ及び回動案内孔１ｃとは分離独立して形成され、小径部１ｇの開口端縁から小径部１ｇの軸線方向に沿ってスリット状長溝に切欠されている。見口支持筒案内切欠部１ｄは、後述する見口支持筒９の移動量に応じて適宜の軸線長さに形成されている。
【００１７】
図１及び図２に示されるように、雌ネジ部１ｅは、小径部１ｇの端縁から軸線方向前方に向けてその内周面に形成されている。
【００１８】
図１及び図２に示されるように、前記カム筒２は、両端が開口した円筒体に形成されている。このカム筒２は、第１接眼鏡筒１の内周面上を摺動可能に形成された外周面を有している。カム筒２は、第１接眼光学系案内カム孔２ａ、第２接眼光学系案内カム孔２ｂ及び雌ネジ穴２ｃを有している。
【００１９】
図１及び図２に示されるように、第１接眼光学系案内カム孔２ａは、カム筒２の周壁に貫通した長穴に形成されてなる。この長穴状に形成された第１接眼光学系案内カム孔２ａは、その軸線がカム筒２の円周に対して傾斜するように、形成されている。また、この第１接眼光学系案内カム孔２ａは、カム筒２を第１接眼鏡筒１の内側に配置したときに、その一部が第１接眼光学系案内軸線孔１ａと重なって連通するように形成されている。同様に、第２接眼光学系案内カム孔２ｂは、カム筒２の周壁に貫通した長穴に形成されてなる。この長穴状に形成された第２接眼光学系案内カム孔２ｂは、その軸線がカム筒２の円周に対して傾斜するように、形成されている。また、この第２接眼光学系案内カム孔２ｂは、カム筒２を第１接眼鏡筒１の内側に配置したときに、その一部が第２接眼光学系案内軸線孔１ｂと重なって連通するように形成されている。そして、第１接眼光学系案内カム孔２ａ及び第２接眼光学系案内カム孔２ｂは、その一端部が互いに離隔又は接近し、その他端部が互いに接近又は離隔するように、分離独立して、形成されている。第１接眼光学系案内カム孔２ａ及び第２接眼光学系案内カム孔２ｂそれぞれは、後述する第１レンズ枠３及び第２レンズ枠４の移動量に応じて適宜の軸線長さと円周方向に対する適宜の傾斜角とに穿孔されている。具体的には、第１接眼光学系案内カム孔２ａは、第１接眼光学系案内軸線孔１ａの軸線長さに対応するように、その軸線長さと円周方向に対する傾斜角とが調整されている。また、第２接眼光学系案内カム孔２ｂは、第２接眼光学系案内軸線孔１ｂの軸線長さに対応するように、その軸線長さと円周方向に対する傾斜角とが調整されている。
【００２０】
図１及び図２に示されるように、雌ネジ穴２ｃは、カム筒２を第１接眼鏡筒１の内側に配置したときに、回動案内孔１ｃの一部と重なって連通するように、カム筒２の周壁に形成されている。
【００２１】
図１及び図２に示されるように、操作筒７は、第１接眼鏡筒１の小径部１ｇを内装すると共に、小径部１ｇの外周面上を摺動可能に形成された内周面を有する、両端が開口した円筒体に形成されている。操作筒７は、円筒状に形成された大径部７ｃと、この大径部７ｃと内径及び軸線が同じであり、大径部７ｃの外径よりも小さな外径を有する円筒状に形成された小径部７ｄとからなる。操作筒７は貫通孔７ａ及び見口支持筒案内カム孔７ｂを有している。
【００２２】
図１及び図２に示されるように、貫通孔７ａは、操作筒７に第１接眼鏡筒１の小径部１ｇを内装したときに、回動案内孔１ｃ及び雌ネジ穴２ｃに重なって連通するように、大径部７ｃの周壁に穿孔されている。
【００２３】
図１及び図２に示されるように、見口支持筒案内カム孔７ｂは、操作筒７の周壁に貫通した長穴に形成されてなる。この長穴状に形成された見口支持筒案内カム孔７ｂは、その軸線が操作筒７の円周に対して傾斜するように、形成されている。また、見口支持筒案内カム孔７ｂは、操作筒７を第１接眼鏡筒１の外側に配置したときに、その一部が見口支持筒案内切欠部１ｄと重なって連通するように形成されている。見口支持筒案内カム孔７ｂは、後述する見口支持筒９の移動量に応じて適宜の軸線長さと円周方向に対する適宜の傾斜角とに穿孔されている。具体的には、見口支持筒案内カム孔７ｂは、見口支持筒案内切欠部１ｄの軸線長さに対応するように、その軸線長さと円周方向に対する傾斜角とが調整されている。
【００２４】
見口支持筒案内カム孔７ｂは、第１接眼光学系案内カム孔２ａ及び第２接眼光学系案内カム孔２ｂによって変化する接眼光学系６０の倍率に応じた射出ひとみ距離の増減距離分だけ、後述する見口支持筒９を光軸方向に移動させるように、見口支持筒案内切欠部１ｄの軸線長さと共に、その軸線長さ及び円周方向に対する傾斜角が決定される。倍率可変式光学機器５０は接眼光学系６０の倍率が高くなるにつれて射出ひとみ距離が小さくなる関係を有しているから、図２に示されるように、見口支持筒案内カム孔７ｂは、円周方向に対して、第１接眼光学系案内カム孔２ａと逆方向に、第２接眼光学系案内カム孔２ｂと同方向に、傾斜するように、形成されている。
【００２５】
図１及び図２に示されるように、見口支持筒９は、両端が開口した円筒体に形成されている。見口支持筒９は、操作筒７の小径部７ｄを内装し、その小径部７ｄの外周面上を摺動可能に形成された内周面を有している。この見口支持筒９は、雌ネジ孔９ａ及び後述する見口１２を固定する固定部（図示しない。）を有している。雌ネジ孔９ａは、操作筒７の小径部７ｄを内装したときに、見口支持筒案内カム孔７ｂの一部と重なって連通するように、見口支持筒９の周壁に穿孔されている。
【００２６】
図１に示されるように、見口１２は、弾性材料で筒状に形成され、その一端縁１２ａから中心方向にリング状に張り出した目当部を有している。見口１２において一端縁１２ａ近傍及び目当部に使用者の眼が当てられる。
【００２７】
図１に示されるように、操作環１３は、操作筒７の大径部７ｃを覆う円筒体に形成されている。
【００２８】
図１及び図２に示されるように、第１レンズ枠３は、両端が開口した円筒体に形成され、その内部にレンズ例えば変倍レンズ３ｂを図示しない保持部で保持している。第１レンズ枠３は、カム筒２の内周面上を摺動可能に形成された外周面を有している。この第１レンズ枠３は、第１レンズ枠３がカム筒２の内部に収納されたときに、第１接眼光学系案内カム孔２ａの一部及び第１接眼光学系案内軸線孔１ａの一部と重なって連通する雌ネジ孔３ａが第１レンズ枠３の周壁に穿孔されている。
【００２９】
図１及び図２に示されるように、第２レンズ枠４は、両端が開口した円筒体に形成され、その内部にレンズ例えば調節レンズ４ｂを図示しない保持部で保持している。この倍率可変式光学機器５０においては調節レンズ４ｂとして凹レンズが採用されている。第２レンズ枠４は、カム筒２の内周面上を摺動可能に形成された外周面を有している。この第２レンズ枠４は、第２レンズ枠４がカム筒２の内部に収納されたときに、第２接眼光学系案内カム孔２ｂの一部及び第２接眼光学系案内軸線孔１ｂの一部と重なって連通する雌ネジ孔４ａが第２レンズ枠４の周壁に穿孔されている。
【００３０】
図１及び図２に示されるように、第３レンズ枠１１は、外周面に形成された雄ネジ部１１ａを有する円盤体に形成されている。第３レンズ枠１１は、その内部にレンズ例えば眼レンズ１１ｂを図示しない保持部で保持している。
【００３１】
図１及び図２に示されるように、第１接眼光学系案内ピン５は、雄ネジ部５ａと雄ネジ部５ａの端部に形成された円筒頭部５ｂとからなる。雄ネジ部５ａはその外周面に雄ネジが形成されている。円筒頭部５ｂは、第１接眼光学系案内軸線孔１ａ及び第１接眼光学系案内カム孔２ａに貫通又は挿入可能な寸法に形成されている。
【００３２】
図１及び図２に示されるように、第２接眼光学系案内ピン６は、雄ネジ部６ａと雄ネジ部６ａの端部に形成された円筒頭部６ｂとからなる。雄ネジ部６ａはその外周面に雄ネジが形成されている。円筒頭部６ｂは、第２接眼光学系案内軸線孔１ｂ及び第２接眼光学系案内カム孔２ｂに貫通又は挿入可能な寸法に形成されている。
【００３３】
図１及び図２に示されるように、操作ピン８は、雄ネジ部８ａと雄ネジ部８ａの端部に形成された円筒頭部８ｂとからなる。雄ネジ部８ａはその外周面に雄ネジが形成されている。円筒頭部８ｂは、回動案内孔１ｃ及び貫通孔７ａに貫通又は挿入可能な寸法に形成されている。
【００３４】
図１及び図２に示されるように、見口支持筒案内ピン１０は、雄ネジ頭部１０ａと雄ネジ頭部１０ａの端部から延在する円筒部１０ｂとからなる。雄ネジ頭部１０ａはその外周面に雄ネジが形成されている。円筒部１０ｂは、雌ネジ孔９ａ、カム溝７ｂ及び見口支持筒案内切欠部１ｄに貫通又は挿入可能な寸法に形成されている。
【００３５】
次に、前記第１接眼鏡筒１に装備される前記各部材の配置、各部材の関係等を、図１及び図２を参照して、説明する。
【００３６】
図１に示されるように、第１接眼鏡筒１において、カム筒２が第１接眼鏡筒１の内部に、操作筒７が第１接眼鏡筒１の外側にそれぞれ軸線を共有するように配置されている。そして、操作ピン８は、円筒頭部８ｂが貫通孔７ａ及び回動案内孔１ｃを貫通した状態で雄ネジ部８ａが雌ネジ穴２ｃに螺合し、カム筒２に固定されている。したがって、円筒頭部８ｂは回動案内孔１ｃ及び貫通孔７ａに係合している。
【００３７】
このように、円筒頭部８ｂが回動案内孔１ｃ及び貫通孔７ａに係合しているから、操作ピン８は回動案内孔１ｃに沿って移動可能になっている。したがって、カム筒２と操作筒７とは、操作ピン８によって一体になって、回動案内孔１ｃ及び操作ピン８に案内され、操作ピン８の移動可能範囲内で、光軸を中心として第１接眼鏡筒１に対して回動可能になっている。
【００３８】
第１レンズ枠３は、カム筒２の内部であって光軸方向の後方側に収納されている。そして、第１接眼光学系案内ピン５は、円筒頭部５ｂが第１接眼光学系案内カム孔２ａ及び第１接眼光学系案内軸線孔１ａを貫通した状態で雄ネジ部５ａが雌ネジ孔３ａに螺合し、第１レンズ枠３に固定されている。したがって、円筒頭部５ｂは第１接眼光学系案内軸線孔１ａ及び第１接眼光学系案内カム孔２ａに係合している。
【００３９】
このように、円筒頭部５ｂが第１接眼光学系案内軸線孔１ａ及び第１接眼光学系案内カム孔２ａに係合しているから、第１接眼光学系案内ピン５は、第１接眼光学系案内軸線孔１ａ及び第１接眼光学系案内カム孔２ａに沿って移動可能になっている。したがって、第１レンズ枠３は、第１接眼光学系案内軸線孔１ａ、第１接眼光学系案内カム孔２ａ及び第１接眼光学系案内ピン５に案内され、第１接眼光学系案内ピン５と一体となって、第１接眼光学系案内ピン５の移動可能範囲内で、光軸方向に前後進可能になっている。
【００４０】
第２レンズ枠４は、カム筒２の内部であって光軸方向の前方側に、光軸方向に第１レンズ枠３と直列となるように、収納されている。そして、第２接眼光学系案内ピン６は、円筒頭部６ｂが第２接眼光学系案内カム孔２ｂ及び第２接眼光学系案内軸線孔２ｂを貫通した状態で雄ネジ部６ａが雌ネジ孔４ａに螺合し、第２レンズ枠４に固定されている。したがって、円筒頭部６ｂは第２接眼光学系案内軸線孔１ｂ及び第２接眼光学系案内カム孔２ｂに係合している。
【００４１】
このように、円筒頭部６ｂが第２接眼光学系案内軸線孔１ｂ及び第２接眼光学系案内カム孔２ｂに係合しているから、第２接眼光学系案内ピン６は、第２接眼光学系案内軸線孔１ｂ及び第２接眼光学系案内カム孔２ｂに沿って移動可能になっている。したがって、第２レンズ枠４は、第２接眼光学系案内軸線孔１ｂ、第２接眼光学系案内カム孔２ｂ及び第２接眼光学系案内ピン６に案内され、第２接眼光学系案内ピン６と一体となって、第２接眼光学系案内ピン６の移動可能範囲内で、光軸方向に前後進可能になっている。
【００４２】
そして、第１接眼光学系案内カム孔２ａと第２接眼光学系案内カム孔２ｂとはカム筒２に形成されているから、カム筒２の回動によって、第１レンズ枠３と第２レンズ枠４とは同期して、光軸方向に前後進可能になっている。
【００４３】
第３レンズ枠１１は、雄ネジ部１１ａが雌ネジ部１ｅに螺合されることにより、第１接眼鏡筒１の小径部１ｇの一端開口部に装着固定されている。このように、第３レンズ枠１１は、第１レンズ枠３よりも光軸方向の後方側に、第１レンズ枠３と直列となるように、第１接眼鏡筒１に収納されている。
【００４４】
このように、第１レンズ枠３、第２レンズ枠４及び第３レンズ枠１１がカム筒２及び小径部１ｇに収納又は固定されている。したがって、第２レンズ枠４、第１レンズ枠３及び第３レンズ枠１１に保持されている調節レンズ４ｂ、変倍レンズ３ｂ及び眼レンズ１１ｂは、共通の光軸を有し、光軸方向に沿って前方側から後方側にこの順で第１接眼鏡筒１に収納されている。
【００４５】
見口支持筒９は、操作筒７における小径部７ｄの外周面に操作筒７と軸線を共有するように配置されている。そして、見口支持筒案内ピン１０は、円筒部１０ｂが見口支持筒案内カム孔７ｂを貫通し見口支持筒案内切欠部１ｄに挿入された状態で雄ネジ頭部１０ａが雌ネジ孔９ａに螺合し、見口支持筒９に固定されている。したがって、円筒部１０ｂは見口支持筒案内カム孔７ｂ及び見口支持筒案内切欠部１ｄに係合している。
【００４６】
このように、円筒部１０ｂが見口支持筒案内カム孔７ｂ及び見口支持筒案内切欠部１ｄに係合しているから、見口支持筒案内ピン１０は、見口支持筒案内カム孔７ｂ及び見口支持筒案内切欠部１ｄに沿って移動可能になっている。したがって、見口支持筒９は、見口支持筒案内カム孔７ｂ、見口支持筒案内切欠部１ｄ及び見口支持筒案内ピン１０に案内され、見口支持筒案内ピン１０の移動可能範囲内で、光軸方向に前後進可能になっている。
【００４７】
前記したように、操作筒７とカム筒２とは操作ピン８で一体になり、見口支持筒９は見口支持筒案内カム孔７ｂに係合している見口支持筒案内ピン１０が固定されているから、操作筒７の回動によって、操作ピン８によるカム筒２の回動と、見口支持筒案内ピン１０及び見口支持筒案内カム孔７ｂによる見口支持筒９の光軸方向への前後進移動とが同期する。その結果、第１レンズ枠３及び第２レンズ枠４の光軸方向への前後進移動と、見口支持筒９の光軸方向への前後進移動すなわち見口１２の光軸方向への前後進移動とが同期する。
【００４８】
見口１２は、見口支持筒９の外周面であってその後方端部すなわち第１接眼鏡筒１の端部に装着され、支持されている。したがって、見口１２は、見口支持筒９と一体となって、光軸方向に前後進可能になっている。見口１２は、図１に示されるように、その端縁１２ａが眼レンズ１１ｂの最終面１１ｃよりも光軸方向の後方に位置しているから、最終面１１ｃと端縁１２ａとの距離は最小射出ひとみ距離よりも小さくなるように調整されている。
【００４９】
操作環１３は、操作筒７と一体になるように大径部７ｃの外周面に装着され、固定されている。したがって、操作環１３は、操作筒７と一体となって、光軸を中心として第１接眼鏡筒１に対して回動可能になっている。
【００５０】
第１接眼鏡筒１において、カム筒２、操作筒７、見口支持筒９、見口１２、操作環１３、第１レンズ枠３、第２レンズ枠４及び第３レンズ枠１１は軸線を共有するように同軸上に配置されており、この軸線と接眼光学系６０の光軸とは一致している。
【００５１】
このように、接眼ズーム式変倍双眼鏡５０の第１接眼鏡筒１は、カム筒２、操作筒７、見口支持筒９、見口１２、操作環１３、第１レンズ枠３、第２レンズ枠４、第３レンズ枠１１、第１接眼光学系案内ピン５、第２接眼光学系案内ピン６、操作ピン８及び見口支持筒案内ピン１０が装備されている。すなわち、接眼ズーム式変倍双眼鏡５０は、第１接眼鏡筒１と、光軸を有する接眼光学系６０と、接眼光学系移動手段６１と、見口１２と、見口位置調節手段６５とを備えている。
【００５２】
具体的に説明すると、この接眼ズーム式変倍双眼鏡５０において、第１接眼鏡筒１がこの発明に係る接眼鏡筒に相当する。接眼ズーム式変倍双眼鏡５０において、図１に示されるように、調節レンズ４ｂ、変倍レンズ３ｂ及び眼レンズ１１ｂがこの発明に係る接眼光学系６０に相当する。
【００５３】
図１及び図２に示されるように、接眼ズーム式変倍双眼鏡５０において、カム筒２と、第１レンズ枠３と、第２レンズ枠４と、接眼光学系案内手段６２とがこの発明に係る接眼光学系移動手段６１に相当する。具体的には、この発明に係る接眼光学系移動手段６１は、操作筒７と一体になって第１接眼鏡筒１に光軸を中心軸として回動可能に設けられたカム筒２と、カム筒２に光軸方向に移動可能に収納された第１レンズ枠３及び第２レンズ枠４と、第１レンズ枠３及び第２レンズ枠４の光軸方向への移動を案内する接眼光学系案内手段６２（図１参照。）とを備えて成る。そして、この接眼光学系移動手段６１は、接眼光学系６０を構成するレンズを光軸方向に移動させて、接眼ズーム式変倍双眼鏡５０の倍率を変化させることができる。
【００５４】
図１及び図２に示されるように、この発明に係る接眼光学系案内手段６２は、接眼ズーム式変倍双眼鏡５０において、第１接眼鏡筒１、カム筒２、第１レンズ枠３及び第２レンズ枠４それぞれに設けられている。具体的には、この発明に係る接眼光学系案内手段６２は、第１レンズ枠３の光軸方向への前後進移動を案内する第１接眼光学系案内手段６３と、第２レンズ枠４の光軸方向への前後進移動を案内する第２接眼光学系案内手段６４とを備えている。そして、第１接眼光学系案内手段６３は、第１接眼鏡筒１に光軸方向に沿って設けられた第１接眼光学系案内軸線孔１ａと、カム筒２にその円周方向に対して傾斜して設けられた第１接眼光学系案内カム孔２ａと、第１接眼光学系案内軸線孔１ａ及び第１接眼光学系案内カム孔２ａと係合するように第１レンズ枠３に設けられ、第１接眼光学系案内軸線孔１ａ及び第１接眼光学系案内カム孔２ａに沿って移動する接眼光学系案内ピン５とを備えて成る。第２接眼光学系案内手段６４は、第１接眼鏡筒１に光軸方向に沿って設けられた第２接眼光学系案内軸線孔１ｂと、カム筒２にその円周方向に対して傾斜して設けられた第２接眼光学系案内カム孔２ｂと、第２接眼光学系案内軸線孔１ｂ及び第２接眼光学系案内カム孔２ｂと係合するように第２レンズ枠４に設けられ、第２接眼光学系案内軸線孔１ｂ及び第２接眼光学系案内カム孔２ｂに沿って移動する接眼光学系案内ピン６とを備えて成る。
【００５５】
図１及び図２に示されるように、接眼ズーム式変倍双眼鏡５０において、操作筒７と、見口支持筒９と、見口案内手段６６とがこの発明に係る見口位置調節手段６５に相当する。具体的には、この発明に係る見口位置調節手段６５は、第１接眼鏡筒１に光軸を中心軸として回動可能に設けられた操作筒７と、操作筒７の外周面に光軸方向に移動可能に装着され、見口１２を支持する見口支持筒９と、見口支持筒９の光軸方向への前後進移動を案内する見口案内手段６６（図１参照。）とを備えて成る。そして、この見口位置調節手段６５は、接眼光学系移動手段６１によるレンズの光軸方向への移動と同期して、レンズの移動による射出ひとみ距離の増減距離分だけ見口１２を光軸方向に移動させることができる。
【００５６】
図１及び図２に示されるように、この発明に係る見口案内手段６６は、接眼ズーム式変倍双眼鏡５０において、第１接眼鏡筒１、操作筒７及び見口支持筒９それぞれに設けられている。具体的には、この発明に係る見口案内手段６６は、第１接眼鏡筒１にその端縁から光軸方向に沿って設けられた見口支持筒案内切欠部１ｄと、操作筒７にその円周方向に対して傾斜して設けられた見口支持筒案内カム孔７ｂと、見口支持筒案内切欠部１ｄ及び見口支持筒案内カム孔７ｂと係合するように見口支持筒９に設けられ、見口支持筒案内切欠部１ｄ及び見口支持筒案内カム孔７ｂに沿って移動する見口支持筒案内ピン１０とを備えて成る。
【００５７】
次に、前記のように構成された倍率可変式光学機器５０の作用及び機能等を、図１及び図２を参照して、説明する。
【００５８】
倍率可変式光学機器５０の使用者は、見口１２に眼を当てて目的対象物を観察する。倍率を拡大して目的対象物を観察する場合は、倍率が拡大する方向（倍率可変式光学機器５０において、光軸方向前方に沿って光軸に対して時計方向）に操作環１３を回転させる。そうすると、操作環１３が装着固定されている操作筒７が操作環１３と一体となって同方向に同量だけ回転する。操作筒７が回転すると、操作ピン８によって操作筒７に一体に連結されているカム筒２が同方向に同量だけ回転する。
【００５９】
このようにしてカム筒２が回転すると、第１接眼光学系案内ピン５は、第１接眼光学系案内軸線孔１ａによって円周方向への移動が規制されて、第１接眼光学系案内軸線孔１ａ及び第１接眼光学系案内カム孔２ａに沿って光軸方向に移動する。また、この第１接眼光学系案内ピン５の移動と同期して、第２接眼光学系案内ピン６は、第２接眼光学系案内軸線孔１ｂによって円周方向への移動が規制されて、第２接眼光学系案内軸線孔１ｂ及び第２接眼光学系案内カム孔２ｂに沿って光軸方向に移動する。ここで、前記したように、第１接眼光学系案内カム孔２ａ及び第２接眼光学系案内カム孔２ｂは、その一端部が互いに離隔又は接近し、その他端部が互いに接近又は離隔するように、分離独立して、形成されている。
【００６０】
そうすると、第１接眼光学系案内ピン５の移動によって第１レンズ枠３はその回転が規制されつつ光軸方向後方に案内され、後進する。このように第１レンズ枠３が光軸方向に後進すると、第１レンズ枠３に収納されている変倍レンズ３ｂが眼レンズ１１ｂに接近する。これと同期して、第２接眼光学系案内ピン６の移動によって第２レンズ枠４はその回転が規制されつつ光軸方向前方に案内され、前進する。このように、第２レンズ枠４が光軸方向に前進すると、第２レンズ枠４に収納されている調節レンズ４ｂが眼レンズ１１ｂから離隔する。
【００６１】
このように、操作環１３を回転させると、変倍レンズ３ｂ及び調節レンズ４ｂの光軸方向の位置が変位し、具体的には、光軸に沿って、変倍レンズ３ｂが眼レンズ１１ｂに接近すると同時に、調節レンズ４ｂが眼レンズ１１ｂから離隔して、接眼光学系６０の倍率を拡大することができる。
【００６２】
一方、前記のように、見口支持筒９に固定された見口支持筒案内ピン１０は操作筒７の見口支持筒案内カム孔７ｂに係合している。したがって、操作環１３によって操作筒７が回転されると、見口支持筒案内ピン１０は、見口支持筒案内切欠部１ｄによって円周方向の移動が規制されて、見口支持筒案内切欠部１ｄ及び見口支持筒案内カム孔７ｂに沿って光軸方向に移動する。ここで、前記したように、見口支持筒案内カム孔７ｂは、接眼光学系６０の倍率が高くなるにつれて射出ひとみ距離が小さくなるように、形成されている。そして、このように形成された見口支持筒案内カム孔７ｂに沿って見口支持筒案内ピン１０が移動すると、見口支持筒案内ピン１０と一体となっている見口支持筒９はその回転が規制されつつ光軸方向前方に案内され、前進する。そうすると、見口支持筒９に装着されている見口１２も同様に光軸方向前方に案内され、前進する。
【００６３】
ここで、前記したように、第１接眼光学系案内カム孔２ａ及び第２接眼光学系案内カム孔２ｂが形成されたカム筒２と、見口支持筒案内カム孔７ｂが形成された操作環７とが一体に連結されている。また、見口支持筒９は、見口支持筒案内ピン１０が見口支持筒案内カム孔７ｂに係合した状態で、操作環７の外側に軸線方向に移動可能に配置されている。さらに、第１レンズ枠３及び第２レンズ枠４それぞれは、第１接眼光学系案内ピン５及び第２接眼光学系案内ピン６が第１接眼光学系案内カム孔２ａ及び第２接眼光学系案内カム孔２ｂに係合した状態で、カム筒２の内部に軸線方向に移動可能に配置されている。そして、見口支持筒案内カム孔７ｂは、第１接眼光学系案内カム孔２ａ及び第２接眼光学系案内カム孔２ｂによって変化する接眼光学系６０の倍率に応じた射出ひとみ距離の増減距離分だけ、見口支持筒９を光軸方向に移動させるように、見口支持筒案内切欠部１ｄの軸線長さと共に、その軸線長さ及び円周に対する傾斜角が決定されている。
【００６４】
したがって、カム筒２及び操作環７の回転と見口支持筒９の光軸方向前方への移動とが同期され、見口支持筒９及びこれに支持されている見口１２は、変倍レンズ３ｂ及び調節レンズ４ｂの光軸方向への移動と同期して、変倍レンズ３ｂ及び調節レンズ４ｂの移動量による接眼ズーム式変倍双眼鏡５０の倍率変化に応じた射出ひとみ距離の短縮距離分だけ、光軸方向に前進する。
【００６５】
このように、操作環１３を前記方向に回転させると、接眼光学系６０の倍率が拡大されるのと同期して、拡大された倍率に対応する射出ひとみ距離の短縮距離分だけ見口１２が光軸方向に前進される。したがって、使用者は、倍率を拡大して目的対象物を観察する場合にも、倍率拡大前に見口１２に当てていた眼を見口１２から離すことなく、接眼ズーム式変倍双眼鏡５０を所望の倍率に設定することができる。
【００６６】
倍率を縮小して目的対象物を観察する場合は、倍率が縮小する方向（倍率可変式光学機器５０において、光軸方向前方に沿って光軸に対して反時計方向）に操作環１３を回転させる。そうすると、前記したように、操作筒７及びカム筒２が同方向に回転する。そして、カム筒２の回転によって、前記したように、第１レンズ枠３はその回転が規制されつつ光軸方向に前進すると共に第２レンズ枠４はその回転が規制されつつ光軸方向に後進して、接眼ズーム式変倍双眼鏡５０の倍率を縮小することができる。一方、倍率を拡大する場合と同様に、第１レンズ枠３及び第２レンズ枠４の光軸方向の移動と同期して見口支持筒９及び見口１２はその回転が規制されつつ光軸方向後方に案内され、後進する。そうすると、見口支持筒９及び見口１２は、変倍レンズ３ｂ及び調節レンズ４ｂの光軸方向への移動と同期して、変倍レンズ３ｂ及び調節レンズ４ｂの移動量による接眼ズーム式変倍双眼鏡５０の倍率変化に応じた射出ひとみ距離の延長距離分だけ、光軸方向に後進する。したがって、使用者は、倍率を縮小して目的対象物を観察する場合にも、倍率縮小前に見口１２に当てていた眼を見口１２から離すことなく、接眼ズーム式変倍双眼鏡５０を所望の倍率に設定することができる。
【００６７】
このようにして、倍率可変式光学機器５０によれば、接眼ズーム式変倍双眼鏡５０の倍率調整操作に同期して、倍率変更による射出ひとみ距離の増減距離分だけ見口１２が光軸方向に前後進するから、倍率調整によって変化する射出ひとみに使用者の眼を配置し直すことなく、見口１２に使用者の眼を当てたままの状態で倍率調整操作をすることができる。
【００６８】
この発明に係る倍率可変式光学機器における別の一実施例である倍率可変式光学機器を、図面を参照して、説明する。この倍率可変式光学機器５１は、接眼ズーム式変倍双眼鏡５１であり、図５にその一部が示されるように、見口１２に代えて折返型見口２０が第１接眼鏡筒１の端部に装着されていること以外は、前記接眼ズーム式変倍双眼鏡５０と基本的に同様に構成されている。
【００６９】
接眼ズーム式変倍双眼鏡の使用者が眼鏡を装着している場合には、接眼ズーム式変倍双眼鏡の射出ひとみ距離は、使用者の眼の位置から眼鏡のレンズ表面までの距離（以下、眼鏡間距離と称することがある。）を含んでいる。したがって、通常の見口１２を用いると、眼鏡間距離分だけ見口１２の位置を光軸方向前方に配置しなければならない。
【００７０】
接眼ズーム式変倍双眼鏡５１に装着されている折返型見口２０は、このような見口の配置を不要とし、使用者の眼鏡装着の有無にかかわらず対応することができる。この折返型見口２０は、図５に示されるように、弾性材料で形成された筒状弾性体の内周面に、内周面を円周方向に一巡するように中心方向に突出する環状部２１が形成されている。折返型見口２０は、その端部又は環状部２１と眼レンズ１１ｂの最終面との距離が最小射出ひとみ距離よりも小さくなるように、見口支持筒９に支持されている。
【００７１】
この折返型見口２０は次のようにして使用される。使用者が眼鏡を装着していない場合には、図５に実線で示されるように、折返型見口２０はそのままの状態にされる。そして、使用者は折返型見口２０の端部に眼を当てて目的対象物を観察する。一方、使用者が眼鏡を装着している場合には、図５に破線で示されるように、折返型見口２０は環状部２１の近傍で折り返された状態にされる。そして、使用者は折返型見口２０の環状部２１に眼を当てて目的対象物を観察する。
【００７２】
この倍率可変式光学機器５１は、前記倍率可変式光学機器５０と基本的に同様に構成され、かつ、折返型見口２０を備えているから、前記したように使用者が眼鏡を装着しているか否かにかかわらず、倍率調整によって変化する射出ひとみに使用者の眼を配置し直すことなく、見口２０に使用者の眼を当てたままの状態で倍率調整操作をすることができる。
【００７３】
この発明に係る倍率可変式光学機器におけるまた別の一実施例である倍率可変式光学機器を、図面を参照して、説明する。この倍率可変式光学機器５２は、接眼ズーム式変倍双眼鏡５２であり、図６にその一部が示されるように、見口１２に代えて繰出型見口機構２５が第１接眼鏡筒１の端部に装着されていること以外は、前記接眼ズーム式変倍双眼鏡５０と基本的に同様に構成されている。
【００７４】
繰出型見口機構２５は、図６及び図７に示されるように、見口支持筒２６、繰出筒２７及び見口１２とを備えて成る。見口支持筒２６は、その周壁上に略円柱状の突起部２６ａを有していること以外は、前記見口支持筒９と基本的に同様に構成されている。繰出筒２７は、図７に示されるように、両端部が開口した円筒体に形成されている。繰出筒２７はその内周面に繰出筒案内カム溝２７ａを有している。繰出筒案内カム溝２７ａは、前記内周面に長溝状に形成され、その軸線が円周に対して傾斜するように形成されている。
【００７５】
繰出型見口機構２５は、操作筒７における小径部７ｄの外周面に配置された見口支持筒２６の外側に、突起部２６ａと繰出筒案内カム溝２７ａとが係合するように、繰出筒２７が配置され、この繰出筒２７の外周面に見口１２が装着されてなる。このように、見口１２は繰出筒２７を介して見口支持筒２６に支持され、繰出型見口機構２５が第１接眼鏡筒１の端部に装着されている。そして、光軸を中心にして見口１２を回動させると、見口支持筒２６の突起部２６ａが繰出筒２７の繰出筒案内カム溝２７ａに案内されて、繰出筒２７及び見口１２が光軸方向に前後進する。このように構成された繰出型見口機構２５は、使用者の眼鏡装着の有無にかかわらず、また、使用者固有の眼鏡間距離にかかわらず、対応することができる。
【００７６】
繰出型見口機構２５は次のようにして使用される。使用者が眼鏡を装着していない場合は図６に示される状態すなわち繰出筒２７が光軸方向先端に位置した状態にされる。一方、使用者が眼鏡を装着している場合には、使用者固有の眼鏡間距離に応じて、光軸を中心にして見口１２を回動させて、繰出筒２７及び見口１２を光軸方向に前後進させ、前記眼鏡間距離に一致する位置に見口１２を配置させる。このように、繰出型見口機構２５は前記見口位置調節手段６５と同期せず互いに独立に調節することができる。このように使用者固有の眼鏡間距離に応じて見口位置を調節して、目的対象物を観察することができる。
【００７７】
この倍率可変式光学機器５２は、前記倍率可変式光学機器５０と基本的に同様に構成され、かつ、繰出型見口機構２５を備えているから、使用者の眼鏡間距離に一致する位置に見口１２を一旦配置させれば、使用者が眼鏡を装着しているか否かにかかわらず、また、使用者固有の眼鏡間距離にかかわらず、倍率調整によって変化する射出ひとみに使用者の眼を配置し直すことなく、見口１２に使用者の眼を当てたままの状態で倍率調整操作をすることができる。
【００７８】
この発明に係る倍率可変式光学機器は、前記部材を適宜の方法、例えば、金属加工、切削加工等によって作製し、これらを前記のようにして組立てて製造することができる。なお、見口はゴム等の弾性材料で成形して作製される。
【００７９】
この発明に係る倍率可変式光学機器は、前記した実施例に限定されることはなく、本願発明の目的を達成することができる範囲において、種々の変更が可能である。例えば、前記倍率可変式光学機器５０〜５２はいずれも接眼ズーム式変倍双眼鏡とされているが、この発明において、倍率可変式光学機器は、単眼鏡、フィールドスコープ等のアフォーカル光学系で構成された光学機器とすることができる。
【００８０】
また、前記倍率可変式光学機器５０〜５２はいずれも接眼ズーム式変倍双眼鏡とされているが、この発明において、倍率可変式光学機器は、ズーム式ではなく、例えば、多段階切替式変倍双眼鏡、又は、２段階切替式変倍双眼鏡とされてもよい。これらの場合は、例えば、第１接眼光学系案内カム孔２ａ及び／又は第２接眼光学系案内カム孔２ｂに、第１接眼光学系案内ピン５及び／又は第２接眼光学系案内ピン６の移動が一時的に規制される移動規制部を形成すればよい。
【００８１】
さらに、前記倍率可変式光学機器５０〜５２において、その接眼光学系６０は、調節レンズ４ｂ、変倍レンズ３ｂ及び眼レンズ１１ｂの３個のレンズで構成されているが、この発明において、接眼光学系は、複数個のレンズで構成されて倍率が可変となっていれば３個のレンズで構成されている必要はなく、例えば、２個のレンズ又は４個以上のレンズで構成されていてもよい。また、前記倍率可変式光学機器５０〜５２において、調節レンズ４ｂは、１個の凹レンズとされているが、この発明において、調節レンズは、複数の凹レンズとされてもよく、１個又は複数の凸レンズとされてもよく、さらに、凹レンズ及び凸レンズ等の組合せとされてもよい。
【００８２】
また、前記倍率可変式光学機器５０〜５２において、接眼光学系６０は、第１レンズ枠３を光軸方向の後方に移動させ、第２レンズ枠４を光軸方向の前方に移動させることで、倍率が大きくなるように構成されているが、この発明において、接眼光学系は、第１レンズ枠を光軸方向の前方に移動させ、第２レンズ枠を光軸方向の後方に移動させることで、倍率が大きくなるように構成されていてもよく、また、第１レンズ枠及び／又は第２レンズ枠を、中間倍率まで光軸方向の一方に移動させ、その後、光軸方向の他方に移動させることで、倍率が大きくなるように構成されていてもよい。
【００８３】
さらに、前記倍率可変式光学機器５０〜５２において、接眼光学系移動手段６１は、第１第１レンズ枠３及び第２レンズ枠４の双方が光軸方向に移動されるように構成されているが、この発明において、接眼光学系移動手段は、第１レンズ枠及び第２レンズ枠４のいずれか一方が光軸方向に移動されるように構成されていてもよい。
【００８４】
また、前記倍率可変式光学機器５０〜５２は、接眼光学系６０の倍率が高くなるにつれて射出ひとみ距離が小さくなる関係となるように、見口支持筒案内カム孔７ｂが、操作筒７の円周方向に対して、第１接眼光学系案内カム孔２ａの傾斜方向と逆方向に傾斜し、第２接眼光学系案内カム孔２ｂの傾斜方向と同方向に傾斜するように、穿孔されているが、この発明において、倍率可変式光学機器は、接眼光学系の倍率が高くなるにつれて射出ひとみ距離が大きくなる関係となるように、見口支持筒案内カム孔が、操作筒の円周方向に対して、第１接眼光学系案内カム孔の傾斜方向と同方向に傾斜し、第２接眼光学系案内カム孔の傾斜方向と逆方向に傾斜するように、穿孔されてもよく、また、倍率可変式光学機器は、接眼光学系の倍率が中間倍率になるまで射出ひとみ距離が小さくなり、その後、倍率が大きくなるにつれて射出ひとみ距離が大きくなる関係となるように、見口支持筒案内カム孔が、操作筒の円周方向に対して、その軸線方向略中央部で傾斜方向が反転して略Ｖ字状に穿孔されてもよい。第１接眼光学系案内カム孔及び第２接眼光学系案内カム孔は、接眼光学系の倍率と射出ひとみ距離との関係に一致するように穿孔されていればよい。
【００８５】
さらに、前記倍率可変式光学機器５０〜５２において、第１接眼光学系案内手段６３は、前記位置に形成されているが、この発明において、第１接眼光学系案内手段は、第１接眼光学系案内軸線孔、第１接眼光学系案内カム孔及び第１接眼光学系案内ピンが係合することができる位置に形成されていればよい。
【００８６】
また、前記倍率可変式光学機器５０〜５２において、第２接眼光学系案内手段６４は、前記位置に形成されているが、この発明において、第２接眼光学系案内手段は、第２接眼光学系案内軸線孔、第２接眼光学系案内カム孔及び第２接眼光学系案内ピンが係合することができる位置に形成されていればよい。
【００８７】
さらに、前記倍率可変式光学機器５０〜５２において、見口案内手段６６は、前記位置に形成されているが、この発明において、見口案内手段は、昇降筒案内切欠部、見口支持筒案内カム孔及び見口支持筒案内ピンが係合することができる位置に形成されていればよい。
【００８８】
また、前記倍率可変式光学機器５０〜５２において、第１接眼光学系案内軸線孔１ａ、第２接眼光学系案内軸線孔１ｂ及び見口支持筒案内切欠部１ｄはいずれも軸線方向に沿って形成されているが、この発明において、第１接眼光学系案内軸線孔、第２接眼光学系案内軸線孔及び見口支持筒案内切欠部は、軸線方向に対してわずかに傾斜するように、形成されてもよい。また、前記倍率可変式光学機器５０〜５２において、回動案内孔１ｃは小径部１ｇの円周方向に沿って貫通形成されているが、この発明において、回動案内孔は円周方向に対してわずかに傾斜するように、貫通形成されてもよい。
【図面の簡単な説明】
【００８９】
【図１】図１は、この発明に係る倍率可変式光学機器における一実施例である倍率可変式光学機器における第１接眼鏡筒の断面を示す概略断面図である。
【図２】図２は、この発明に係る倍率可変式光学機器における一実施例である倍率可変式光学機器における第１接眼鏡筒の分解斜視図である。
【図３】図３は、この発明に係る倍率可変式光学機器における一実施例である倍率可変式光学機器の上面を示す概略上面図である。
【図４】図４は、倍率可変式光学機器における接眼光学系の倍率と射出ひとみ距離との関係を説明する説明図であり、図４（ａ）は低倍率時における倍率と射出ひとみ距離との関係を説明する説明図であり、図４（ｂ）は中間倍率時における倍率と射出ひとみ距離との関係を説明する説明図であり、図４（ｃ）は高倍率時における倍率と射出ひとみ距離との関係を説明する説明図である。
【図５】図５は、この発明に係る倍率可変式光学機器における別の一実施例である倍率可変式光学機器における第１接眼鏡筒の断面を示す概略部分断面図である。
【図６】図６は、この発明に係る倍率可変式光学機器におけるまた別の一実施例である倍率可変式光学機器における第１接眼鏡筒の断面を示す概略部分断面図である。
【図７】図７は、この発明に係る倍率可変式光学機器におけるまた別の一実施例である倍率可変式光学機器における繰出型見口機構の分解斜視図である。
【符号の説明】
【００９０】
１：第１接眼鏡筒、１ａ：第１接眼光学系案内軸線孔、１ｂ：第２接眼光学系案内軸線孔、１ｃ：回動案内孔、１ｄ：見口支持筒案内切欠部、１ｅ：雌ネジ部、１ｆ：大径部、１ｇ：小径部
２：カム筒、２ａ：第１接眼光学系案内カム孔、２ｂ：第２接眼光学系案内カム孔、２ｃ：雌ネジ穴
３：第１レンズ枠、３ａ：雌ネジ孔、３ｂ：変倍レンズ
４：第２レンズ枠、４ａ：雌ネジ孔、４ｂ：調節レンズ
５：第１接眼光学系案内ピン、５ａ：雄ネジ部、５ｂ：円筒頭部
６：第２接眼光学系案内ピン、６ａ：雄ネジ部、６ｂ：円筒頭部
７：操作筒７、７ａ：貫通孔、７ｂ：見口支持筒案内カム孔、７ｃ：大径部、７ｄ：小径部
８：操作ピン、８ａ：雄ネジ部、８ｂ：円筒頭部
９：見口支持筒、９ａ：雌ネジ孔
１０：見口支持筒案内ピン、１０ａ：雄ネジ頭部、１０ｂ：円筒部
１１：第３レンズ枠、１１ａ：雄ネジ部、１１ｂ：眼レンズ、１１ｃ：最終面
１２：見口、１２ａ：端縁
１３：操作環
２０：折返型見口、２１：環状部
２５：繰出型見口機構、２６：見口支持筒、２６ａ：突起部、２７：繰出筒、２７ａ：繰出筒案内カム溝
３０：接眼光学系
５０、５１、５２：倍率可変式光学機器（接眼ズーム式変倍双眼鏡）
５５：第１鏡筒、５６：第２鏡筒、５７：支持体
６０：接眼光学系、６１：接眼光学系移動手段、６２：接眼光学系案内手段、６３：第１接眼光学系案内手段、６４：第２接眼光学系案内手段
６５：見口位置調節手段、６６：見口案内手段
【図１】
0005137657.tif 000002
【図２】
0005137657.tif 000003
【図３】
0005137657.tif 000004
【図４】
0005137657.tif 000005
【図５】
0005137657.tif 000006
【図６】
0005137657.tif 000007
【図７】
0005137657.tif 000008